(57)【要約】【課題】消費者が商品情報を正確に判断することができ、経済的に買い物をすることができるようにする。【解決手段】各商品１１，１２，１３には、商品情報を記憶するＩＣタグ２１，２２，２３が取り付けられる。ＩＣタグリーダ端末４０は、ＩＣタグ２１，２２，２３から、商品情報を無線データとして受信する。制御部４１は、受信した商品情報を記憶装置４２に蓄積させる。消費者によって購入予定商品が選択入力されると、制御部４１は、購入予定商品に該当する商品情報を記憶装置４２から全て抽出する。制御部４１は、各商品情報を比較し、商品価格が安い順番に商品情報を並べ替える。そして、制御部４１は、商品価格が安い順番に並べ替えた商品情報を表示部４５に表示させる。【選択図】  図２
2005011291.tif 000002
【特許請求の範囲】
【請求項１】
商品に取り付けられている商品情報記憶手段から、前記商品の商品情報を無線データとして受信する商品情報受信手段と、
前記商品情報受信手段が受信した商品情報を記憶する情報記憶手段と、
前記情報記憶手段が記憶する複数の商品情報のうち、購入目的の商品に対応する商品情報を全て抽出する商品情報抽出手段と、
抽出した各商品情報を比較し所定の条件に従って並べ替えて比較データを生成する比較データ生成手段と、
前記比較データにもとづいて、各商品情報を比較した結果情報を表示する表示手段とを備えた
ことを特徴とする商品情報比較装置。
【請求項２】
比較データ生成手段は、各商品情報に含まれる商品の価格情報を比較し、各商品情報を商品の価格が安い順番に並べ替えて比較データを生成し、
表示手段は、前記比較データにもとづいて、商品の価格が安い順番に各商品情報を並べ替えた結果情報を表示する
請求項１記載の商品情報比較装置。
【請求項３】
比較する商品情報の範囲を指定する比較範囲情報を入力する比較範囲入力手段を備え、
比較データ生成手段は、前記比較範囲情報で指定される範囲内で各商品情報を比較し比較データを生成する
請求項１または請求項２記載の商品情報比較装置。
【請求項４】
各商品情報に含まれる商品の販売単位の情報を比較し、各商品の販売単位が異なる場合には、各商品情報に含まれる商品の価格情報と前記販売単位の情報とにもとづいて、各商品について所定数量あたりの価格情報を算出する価格算出手段を備え、
比較データ生成手段は、前記価格算出手段が算出した所定数量あたりの価格情報を比較することによって比較データを生成する
請求項１から請求項３のうちのいずれか１項に記載の商品情報比較装置。
【請求項５】
情報記憶手段が記憶する商品情報を、他の商品情報比較装置または情報処理端末に転送する転送手段を備えた請求項１から請求項４のうちのいずれか１項に記載の商品情報比較装置。
【請求項６】
情報記憶手段が記憶する商品情報の内容を更新する商品情報更新手段を備えた請求項１から請求項５のうちのいずれか１項に記載の商品情報比較装置。
【請求項７】
情報記憶手段が記憶する商品情報を削除する商品情報削除手段を備えた請求項１から請求項６のうちのいずれか１項に記載の商品情報比較装置。
【請求項８】
コンピュータに、
商品に取り付けられている商品情報記憶手段から、前記商品の商品情報を無線データとして受信する処理と、
購入目的の商品に対応する商品情報を全て抽出する処理と、
抽出した各商品情報を比較し所定の条件に従って並べ替えて比較データを生成する処理と、
前記比較データにもとづいて、各商品情報を比較した結果情報を表示する処理と
を実行させるための商品情報比較プログラム。
【発明の詳細な説明】
【０００１】
【発明の属する技術分野】
本発明は、商品価格などの商品情報の比較処理を行う商品情報比較装置および商品情報比較プログラムに関する。
【０００２】
【従来の技術】
消費者が店舗などで買い物中に商品を購入するか否か判断する場合に、過去に記憶した他店での商品価格と比較して、その店舗での商品価格が高いのか安いのかを判断し、その商品を購入するか否かを判断することが多い。しかし、商品価格などの商品情報を消費者自身の記憶や経験に頼っていたのでは、正確に商品情報を比較して判断することができない場合がある。さらに、一度に購入する商品の種類が多い場合には、消費者が各商品情報を正確に記憶するのは困難であり、正確に商品情報を比較して判断することができない場合がある。
【０００３】
人の記憶や経験に頼らず情報を取得する技術として、例えば、特許文献１には、商品を包装したパッケージに商品管理情報を記憶したＩＣタグを設けた商品管理方法が記載されている。特許文献１に記載されている商品管理方法では、読取装置は、パッケージに設けられているＩＣタグが送信する商品管理情報を受信する。また、読取装置は、受信した商品管理情報を記憶する記憶手段を備える。そして、読取装置は、記憶手段が記憶する商品管理情報にもとづいて商品を管理する。
【０００４】
また、特許文献２には、製品情報を情報カード内のＩＣチップから読み取る物流管理システムが記載されている。特許文献２に記載されている物流管理システムでは、製品情報を記憶している情報カードが製品の搬送容器の外部に取り付けられている。そして、作業者は、情報カードからハンディリーダによって製品情報を読み込んでチェックしながら荷揃え作業を行う。
【０００５】
【特許文献１】
特開２００２−２１５７４９号公報（第３−５頁、第１−２図）
【特許文献２】
特開２００３−４０４５６号公報（第４−５頁、第１−２図）
【０００６】
【発明が解決しようとする課題】
特許文献１に記載されている商品管理方法や、特許文献２に記載されている物流管理システムのように、店舗などで販売している商品に商品情報を記憶したＩＣタグなどを取り付けるようにすれば、消費者の記憶や経験に頼らず消費者が正確に商品情報を取得することができる。しかし、他店での価格や過去の価格と比較して、その店舗での現在の商品価格が高いのか安いのかの判断を、消費者自身が行わなければならない。従って、消費者がより経済的に買い物をすることができるようにするために、消費者が商品情報を容易に比較できるようにすることが望ましい。
【０００７】
そこで、本発明は、消費者が商品情報を正確に判断することができ、経済的に買い物をすることができる商品情報比較装置および商品情報比較プログラムを提供することを目的とする。
【０００８】
【課題を解決するための手段】
本発明による商品情報比較装置は、商品に取り付けられている商品情報記憶手段から、商品の商品情報を無線データとして受信する商品情報受信手段と、商品情報受信手段が受信した商品情報を記憶する情報記憶手段と、情報記憶手段が記憶する複数の商品情報のうち、購入目的の商品に対応する商品情報を全て抽出する商品情報抽出手段と、抽出した各商品情報を比較し所定の条件に従って並べ替えて比較データを生成する比較データ生成手段と、比較データにもとづいて、各商品情報を比較した結果情報を表示する表示手段とを備えたことを特徴とする。
【０００９】
比較データ生成手段は、各商品情報に含まれる商品の価格情報を比較し、各商品情報を商品の価格が安い順番に並べ替えて比較データを生成し、表示手段は、比較データにもとづいて、商品の価格が安い順番に各商品情報を並べ替えた結果情報を表示するものであることが好ましい。そのような構成によれば、消費者は、商品価格が高いのか安いのかを容易に判断できることによって、経済的に買い物をすることができる。
【００１０】
商品情報比較装置は、比較する商品情報の範囲を指定する比較範囲情報を入力する比較範囲入力手段を備え、比較データ生成手段は、比較範囲情報で指定される範囲内で各商品情報を比較し比較データを生成するものであってもよい。そのような構成によれば、消費者は、任意に検索条件や比較条件を指定することによって、商品情報の比較結果を参照することができる。
【００１１】
商品情報比較装置は、各商品情報に含まれる商品の販売単位の情報を比較し、各商品の販売単位が異なる場合には、各商品情報に含まれる商品の価格情報と販売単位の情報とにもとづいて、各商品について所定数量あたりの価格情報を算出する価格算出手段を備え、比較データ生成手段は、価格算出手段が算出した所定数量あたりの価格情報を比較することによって比較データを生成するものであってもよい。そのような構成によれば、店舗などによって商品の販売単位が異なる場合であっても、消費者は、正確に商品価格の比較を行うことができる。
【００１２】
商品情報比較装置は、情報記憶手段が記憶する商品情報を、他の商品情報比較装置または情報処理端末に転送する転送手段を備えたものであってもよい。そのような構成によれば、消費者は、自分が来店していない店舗での商品情報を参照したり、自分が買い物をしていない日時の商品情報などを参照することができる。従って、より多くの商品情報を比較することができるので、消費者１人が取得した商品情報のみを用いて比較処理を行う場合と比較して、比較データの精度を向上させることができる。
【００１３】
商品情報比較装置は、情報記憶手段が記憶する商品情報の内容を更新する商品情報更新手段を備えたものであってもよい。そのような構成によれば、取得した商品情報に誤りがあったり変更が生じた場合に、容易に商品情報の内容を修正することができる。
【００１４】
商品情報比較装置は、情報記憶手段が記憶する商品情報を削除する商品情報削除手段を備えたものであってもよい。そのような構成によれば、不要となった商品情報を容易に削除することができ、商品情報を効率的に蓄積させることができる。
【００１５】
本発明による商品情報比較プログラムは、コンピュータに、商品に取り付けられている商品情報記憶手段から、商品の商品情報を無線データとして受信する処理と、購入目的の商品に対応する商品情報を全て抽出する処理と、抽出した各商品情報を比較し所定の条件に従って並べ替えて比較データを生成する処理と、比較データにもとづいて、各商品情報を比較した結果情報を表示する処理とを実行させることを特徴とする。
【００１６】
【発明の実施の形態】
以下、本発明の実施の形態を図面を参照して説明する。図１は、本発明による商品情報比較装置の利用環境の一例を示す説明図である。図１に示すように、商品情報比較装置を適用した利用環境において、店舗で販売されている商品１１，１２，１３と、ＩＣタグに記憶されている情報を読み取るためのＩＣタグリーダ端末４０とが含まれる。なお、本実施の形態において、消費者は、ＩＣタグリーダ端末４０を商品情報比較装置として用いて買い物をする。
【００１７】
商品１１，１２，１３は、店舗で販売されている各商品である。本実施の形態では、一例として、店舗Ａにおいて商品Ｂ１１、商品Ｃ１２および商品Ｄ１３が販売されている場合を説明する。なお、同一店舗内で販売されている商品の個数や種類は３つに限られず、例えば、店舗Ａで３以上の商品が販売されていてもよい。
【００１８】
各商品１１，１２，１３には、ＩＣタグ２１，２２，２３がそれぞれ取り付けられている。例えば、図１に示すように、商品Ｂ１１にはＩＣタグＢ２１が取り付けられ、商品Ｃ１２にはＩＣタグＣ２２が取り付けられ、商品Ｄ１３にはＩＣタグＤ２３が取り付けられている。なお、商品１１，１２，１３がパッケージや容器などで包装されている場合には、ＩＣタグ２１，２２，２３は、パッケージや容器などに取り付けられていてもよい。
【００１９】
ＩＣタグ２１，２２，２３は、ＩＣタグリーダ端末４０とデータを送受信するためのアンテナ部（図示せず）、通信制御部（図示せず）およびメモリ（図示せず）などを含む。ＩＣタグ２１，２２，２３は、商品情報をメモリに記憶している。例えば、ＩＣタグ２１，２２，２３には、商品情報として、店舗名、商品名、メーカ名、商品の販売価格および商品の販売単位などの情報が記憶されている。商品情報は、店舗の店員などによって商品ごとにＩＣタグ２１，２２，２３に登録される。商品価格など内容が日ごとに更新されたり所定時間ごとに更新される商品情報については、店舗の店員は、日ごとまたは所定時間ごとに更新内容をＩＣタグ２１，２２，２３に登録する。なお、商品名など商品に固有の商品情報については、メーカ出荷時に、あらかじめメーカによってＩＣタグ２１，２２，２３に登録されていてもよい。
【００２０】
ＩＣタグリーダ端末４０は、店舗で買い物をする消費者が使用する端末である。図２は、ＩＣタグリーダ端末４０の構成の一例を示すブロック図である。図２に示すように、ＩＣタグリーダ端末４０は、制御部４１、記憶装置４２、通信制御部４３、アンテナ部４４、表示部４５および操作部４６を含む。
【００２１】
記憶装置４２は、ＩＣタグ２１，２２，２３からの商品情報の取得処理を行ったり、商品情報の比較処理や更新処理を行うための各種プログラムなどを記憶している。また、記憶装置４２は、ＩＣタグ２１，２２，２３から取得した商品情報を蓄積する。制御部４１は、記憶装置４２が記憶するプログラムに従って、商品情報の取得処理、比較処理および更新処理などの各処理を実行する。また、通信制御部およびアンテナ部は、ＩＣタグ２１，２２，２３から無線データとして送信される商品情報を受信する。表示部４５は、ＬＣＤ（Ｌｉｑｕｉｄ  Ｃｒｙｓｔａｌ  Ｄｉｓｐｌａｙ）などの表示装置であり、購入予定商品の入力画面や商品情報の比較処理の処理結果などを表示する。操作部４６は、操作ボタンなどを含み、消費者からの各入力指示を受け付ける。
【００２２】
商品情報受信手段は、制御部４１、通信制御部４３およびアンテナ部４４などによって実現される。商品情報記憶手段は、記憶装置４２によって実現される。商品情報抽出手段、比較データ生成手段、価格算出手段、商品情報更新手段および商品情報削除手段は、制御部４１などによって実現される。表示手段は、制御部４１および表示部４５などによって実現される。比較範囲入力手段は、制御部４１および操作部４６などによって実現される。転送手段は、制御部４１および通信制御部４３などによって実現される。
【００２３】
また、本実施の形態において、記憶装置４２は、コンピュータに、商品に取り付けられている商品情報記憶手段から、商品の商品情報を無線データとして受信する処理と、購入目的の商品に対応する商品情報を全て抽出する処理と、抽出した各商品情報を比較し所定の条件に従って並べ替えて比較データを生成する処理と、比較データにもとづいて、各商品情報を比較した結果情報を表示する処理とを実行させるための商品情報比較プログラムを記憶する。
【００２４】
図３は、ＩＣタグリーダ端末４０の記憶装置４２が蓄積する情報内容の一例を示す説明図である。図３に示すように、記憶装置４２は、取得日時３０１に対応付けて、商品情報として、店名３０２、商品名３０３、メーカ３０４、価格３０５および数量／容量３０６の情報を記憶する。
【００２５】
取得日時３０１は、各商品情報を取得した日時を示す。例えば、商品情報を２００３年３月１日の１５時に取得した場合には、記憶装置４２は、図３に示すように、取得日時３０１として「２００３／０３／０１  １５：００」と記憶する。店名３０２は、商品情報を取得した店舗の店舗名を示す。例えば、商品情報を店舗Ａで買い物中に取得した場合には、記憶装置４２は、図３に示すように、店名３０２として「Ａ」と記憶する。商品名３０３は、商品情報に対応する商品の商品名を示す。例えば、商品Ｂ１１の商品情報を取得した場合には、記憶装置４２は、図３に示すように、商品名３０３として「Ｂ」と記憶する。
【００２６】
メーカ３０４は、商品を製造したメーカ名を示す。例えば、商品Ｂ１１を製造したメーカがＥ社である場合には、記憶装置４２は、図３に示すように、メーカ３０４として「Ｅ」と記憶する。価格３０５は、商品の店舗での販売価格を示す。例えば、店舗Ａで商品Ｂ１１が５２０円で販売されている場合には、記憶装置４２は、図３に示すように、価格３０５として「５２０円」と記憶する。
【００２７】
数量／容量３０６は、店舗での商品の販売単位を示す。例えば、商品Ｂ１１が店舗Ａで１個単位で販売されている場合には、記憶装置４２は、図３に示すように、数量／容量３０６として「１個」と記憶する。なお、例えば、商品が店舗で３個まとめ売りされている場合などには、記憶装置４２は、数量／容量３０６として「３個」と記憶する。また、例えば、商品が食料品などであってグラム単位で販売されている場合などには、記憶装置４２は、数量／容量３０６として販売単位のグラム数を記憶する。
【００２８】
なお、記憶装置４２が蓄積する情報は、これらの情報に限られない。例えば、ＩＣタグ２１，２２，２３から取得する商品情報に商品コードなどが含まれる場合には、記憶装置４２は、商品情報として商品コードなどを記憶してもよい。
【００２９】
次に、動作について説明する。図４は、ＩＣタグリーダ端末４０を用いて商品情報を取得する商品情報取得処理、および商品情報を比較する商品情報比較処理の一例を示す流れ図である。なお、以下、消費者が店舗ＡにおいてＩＣタグリーダ端末４０を携帯しながら買い物する場合を例に説明する。
【００３０】
まず、商品情報を取得する商品情報取得処理の動作について説明する。消費者は、店舗Ａで販売されている商品１１，１２，１３の商品情報を取得したい場合には、ＩＣタグリーダ端末４０を商品１１，１２，１３に近づける（ステップＳ１０）。ＩＣタグリーダ端末４０を近づけると、商品１１，１２，１３に取り付けられているＩＣタグ２１，２２，２３は、商品情報を無線データとして送信する。例えば、ＩＣタグリーダ端末４０を所定の距離まで近づけると、ＩＣタグリーダ端末４０から加えられる磁力によってＩＣタグ２１，２２，２３内の電源がＯＮ状態となり、ＩＣタグ２１，２２，２３は、商品情報の送信を開始する。
【００３１】
ＩＣタグリーダ端末４０は、アンテナ部４４を介して商品情報を受信する（ステップＳ１１）。商品情報を受信すると、ＩＣタグリーダ端末４０の制御部４１は、受信した商品情報を記憶装置４２に記憶させる（ステップＳ１２）。例えば、商品Ｂ１１の商品情報を受信した場合には、図３に示すように、制御部４１は、商品情報として、店名３０２「Ａ」、商品名３０３「Ｂ」、メーカ３０４「Ｅ」、価格３０５「５２０円」および数量／容量３０６「１個」の情報を記憶装置４２に記憶させる。
【００３２】
また、制御部４１は、商品情報を受信した日時を検出する。そして、制御部４１は、検出した日時情報を商品情報に対応付けて記憶装置４２に記憶させる。例えば、商品Ｂ１１の商品情報を２００３年３月１日の１５時に取得した場合には、制御部４１は、日時情報「２００３／０３／０１  １５：００」を検出する。そして、制御部４１は、図３に示すように、検出した日時情報を取得日時３０１として、商品Ｂ１１の商品情報に対応付けて記憶装置４２に記憶させる。
【００３３】
以上の処理が各商品１１，１２，１３に対して実行されることによって、ＩＣタグリーダ端末４０の記憶装置４２に各商品１１，１２，１３の商品情報が蓄積される。図３に示す例では、記憶装置４２に商品Ｂ１１、商品Ｃ１２および商品Ｄ１３の商品情報が蓄積される。
【００３４】
なお、複数の店舗で使用されている商品情報のデータフォーマットが同一である場合には、これら複数の店舗で取得した商品情報を記憶装置４２に蓄積させることができる。例えば、他の店舗Ｈ，Ｊで商品に取り付けられているＩＣタグと、店舗ＡのＩＣタグ２１，２２，２３とが記憶する商品情報のデータフォーマットが同じである場合には、記憶装置４２に、複数の店舗Ａ，Ｈ，Ｊで取得した商品情報を蓄積させることができる。。
【００３５】
次に、記憶装置４２に蓄積されている商品情報を比較する商品情報比較処理の動作について説明する。消費者は、ＩＣタグリーダ端末４０の操作部４６を操作して、購入予定商品を入力する。ＩＣタグリーダ端末４０の制御部４１は、消費者の操作に従って、購入予定商品の入力を受け付ける（ステップＳ１３）。
【００３６】
ステップＳ１３において、例えば、制御部４１は、消費者の操作に従って、記憶装置４２が蓄積している商品情報に対応する商品名の一覧情報を、表示部４５に表示させる。消費者は、操作部４６を操作して、表示部４５に表示されている商品名一覧から購入したい商品を選択入力する。そして、制御部４１は、消費者によって選択された商品の選択入力を受け付ける。
【００３７】
なお、初めから商品名などが分かっている場合には、消費者は、操作部４６から直接商品名を入力するようにしてもよい。また、商品についての一部の情報のみが分かっている場合などには、消費者は、操作部４６からキーワードなどを入力するようにしてもよい。例えば、消費者は、操作部４６を操作して、商品名の一部、商品の購入予定の価格帯、商品情報を取得した期日などをキーワードとして入力する。制御部４１は、キーワードにもとづいて記憶装置４２から該当する商品の商品名を全て抽出し、商品名一覧を表示部４５に表示させる。
【００３８】
また、過去に消費者によって選択入力され比較処理などを行った商品の履歴情報を記憶装置４２が記憶していてもよい。この場合には、制御部４１は、記憶装置４２が記憶する履歴情報にもとづいて表示部４５に商品一覧を表示させる。また、よく購入する商品に対してあらかじめ消費者がフラグ情報を付加できるようにしていてもよい。この場合には、制御部４１は、記憶装置４２が蓄積している商品情報の商品のうち、フラグ情報が付加されている商品の商品名を全て抽出する。そして、制御部４１は、抽出した商品名についての商品一覧を表示部４５に表示させる。
【００３９】
購入予定商品が選択入力されると、制御部４１は、記憶装置４２が記憶している商品情報を検索し、記憶装置４２から選択入力された商品に該当する商品情報を全て抽出する。この場合に、選択入力された商品について、現時刻に店舗Ａで取得した商品情報だけでなく、過去に店舗Ａで取得した商品情報をも記憶装置４２が蓄積している場合には、制御部４１は、現時刻および過去に取得した全ての商品情報を記憶装置４２から抽出する。また、選択入力された商品について、店舗Ａで取得した商品情報だけでなく、他店舗で取得した商品情報をも記憶装置４２が蓄積している場合には、制御部４１は、複数の店舗で取得した全ての商品情報を記憶装置４２から抽出する。
【００４０】
商品情報を抽出すると、制御部４１は、抽出した各商品情報の比較処理を実行する（ステップＳ１４）。ステップＳ１４において、制御部４１は、抽出した各商品情報の商品価格の情報（本例では、図３に示す価格３０５）を比較し、商品価格が安い順番に商品情報を並べ替える。制御部４１は、商品情報を並べ替えた結果を商品情報比較データとして生成する。そして、制御部４１は、生成した商品情報比較データにもとづいて、商品価格が安い順番に並べ替えた商品情報の一覧を、商品情報の比較処理の結果情報として表示部４５に表示させる（ステップＳ１５）。
【００４１】
図５は、表示部４５が表示する商品情報の一覧の一例を示す説明図である。本例では、ステップＳ１３において、購入予定商品として商品Ｂ１１が選択入力された場合を説明する。図５に示すように、表示部４５に表示される商品情報の一覧画面には、取得日時５０１、店名５０２、商品名５０３、メーカ５０４、価格５０５および数量／容量５０６の情報が含まれる。なお、取得日時５０１、店名５０２、商品名５０３、メーカ５０４、価格５０５および数量／容量５０６は、それぞれ取得日時３０１、店名３０２、商品名３０３、メーカ３０４、価格３０５および数量／容量３０６と同じ情報である。
【００４２】
図５に示すように、商品情報の一覧画面には、商品Ｂ１１について、消費者が店舗Ａで現時刻「２００３年３月１日１５時」に取得した商品情報だけでなく、過去「２００３年２月１日１５時」、「２００３年２月１５日１５時」および「２００３年１月１日１５時」に取得した商品情報も含まれる。また、商品情報の一覧画面には、商品Ｂ１１について、消費者が店舗Ａにおいて取得した商品情報だけでなく、他店舗「Ｈ」，「Ｊ」で取得した商品情報も含まれる。これら各商品情報は、図５に示すように、価格５０５の金額が安い順番に表示部４５に表示される。
【００４３】
本例では、消費者は、図５に示す商品情報の一覧画面を確認することによって、店舗Ａの現時刻での商品Ｂ１１の価格が過去２番目に安い価格（本例では、５２０円）であると判断することができる。また、消費者は、商品情報の一覧画面を確認することによって、店舗Ａでの商品Ｂ１１の価格が同じ日に立ち寄った他店舗ＨおよびＪでの価格よりも安い価格であると判断することができる。
【００４４】
以上のように、本実施の形態によれば、消費者は、買い物中に各商品に取り付けられているＩＣタグから取得した商品情報をＩＣタグリーダ端末４０に蓄積させる。消費者は、ＩＣタグリーダ端末４０を用いて、購入目的の商品について、蓄積している商品情報の比較結果を確認することができる。よって、消費者は、自分の記憶に頼ることなく、購入予定商品の商品情報を正確に比較することができる。従って、消費者が商品情報を正確に判断することができ、経済的に買い物をすることができる。
【００４５】
なお、ステップＳ１３において、購入予定商品を入力するとともに、商品情報を検索する範囲などを指定する検索条件を消費者が入力できるようにしてもよい。例えば、ＩＣタグリーダ端末４０の制御部４１は、検索条件の入力欄を含む商品一覧画面を表示部４５に表示させる。消費者は、操作部４６を操作して、購入目的の商品を選択入力するとともに、検索条件を入力する。消費者は、例えば、検索条件として、検索範囲を店舗Ａで取得した商品情報に限定する旨や、特定の期間内に取得した商品情報のみを検索する旨の条件情報を入力する。そして、制御部４１は、記憶装置４２が記憶する商品情報のうち、店舗Ａで取得した商品情報のみの比較処理を行ったり、特定の期間内に取得した商品情報のみの比較処理を行う。そのようにすれば、消費者は、任意に検索条件や比較条件を指定することによって、商品情報の比較結果を参照することができる。
【００４６】
また、あらかじめ購入目的の商品があるのではなく、買い得商品を探したい場合には、制御部４１は、記憶装置４２が蓄積する商品情報のうち、同一商品に限らず商品価格が特定の順番以内の商品の比較結果を表示部４５に表示させてもよい。この場合には、ステップＳ１３において、消費者は、例えば、操作部４６を操作して、ＸＸ番目までに安い商品の商品情報の検索指示を入力する。そして、制御部４１は、記憶装置４２が蓄積する商品情報のうち、商品価格がＸＸ番以内の全ての商品の一覧情報を表示部４５に表示させる。
【００４７】
また、不要となった商品情報を、消費者の操作に従って、記憶装置４２から削除できるようにしてもよい。例えば、商品の販売が終了し、その商品の商品情報が不要となった場合などには、消費者は、操作部４６を操作して、その商品の商品情報の削除指示を入力する。そして、制御部４１は、記憶装置４２から、その商品の商品情報を削除する。
【００４８】
また、記憶装置４２が蓄積する商品情報の内容を修正したい場合には、消費者の操作に従って、記憶装置４２が記憶する商品情報の内容を更新できるようにしてもよい。例えば、消費者が店員と値引き交渉を行って、ＩＣタグ２１，２２，２３に登録されている商品情報の内容と、実際の購入価格との間に差異が生じた場合には、制御部４１は、記憶装置４２が記憶する商品情報の内容を更新する。また、もともとＩＣタグ２１，２２，２３に登録されている商品情報の内容に誤りがあることが判明した場合には、制御部４１は、記憶装置４２が記憶する商品情報の内容を更新する。また、ある商品に対する新製品が発売された場合において、新製品と旧製品とを同一商品名に統一したい場合には、制御部４１は、消費者の操作に従って、記憶装置４２が記憶する商品情報を更新する。
【００４９】
また、商品情報の比較処理において、各商品の販売単位が店舗などによって異なり、そのまま比較処理ができない場合には、消費者が比較単位を指定できるようにしてもよい。例えば、商品１個あたりの価格の比較データを参照したい場合には、ステップＳ１３において、消費者は、操作部４６を操作して、購入目的の商品を選択入力するとともに比較単位「１個」と入力する。この場合に、制御部４１は、抽出した商品情報の数量／容量３０６が複数個である場合には、価格３０５および数量／容量３０６の情報にもとづいて１個あたりの商品価格を算出する。そして、制御部４１は、算出した１個あたりの商品価格を表示部４５に表示させる。
【００５０】
また、ＩＣタグリーダ端末４０が蓄積する商品情報を他のＩＣタグリーダ端末４０に転送し、ＩＣタグリーダ端末４０同士で商品情報を共有できるようにしてもよい。例えば、ＩＣタグリーダ端末４０同士をＵＳＢ（Ｕｎｉｖｅｒｓａｌ  Ｓｅｒｉａｌ  Ｂｕｓ）ケーブルなどで接続し、蓄積する商品情報を転送できるようにしてもよい。また、例えば、ブルートゥース（Ｂｌｕｅｔｏｏｔｈ  ）などを用いて、ＩＣタグリーダ端末４０同士で蓄積する商品情報を転送できるようにしてもよい。
【００５１】
そのようにすれば、消費者は、自分が来店していない店舗での商品情報を参照したり、自分が買い物をしていない日時の商品情報などを参照することができる。従って、より多くの商品情報を比較することができるので、消費者１人が取得した商品情報のみを用いて比較処理を行う場合と比較して、比較データの精度を向上させることができる。また、消費者にとっても、商品情報を取得するために様々な店舗に自分で来店する必要がなくなり、消費者の利便性を向上させることができる。
【００５２】
また、ＩＣタグリーダ端末４０が蓄積する商品情報を、パーソナルコンピュータなどの情報処理端末に転送できるようにしてもよい。例えば、ＩＣタグリーダ端末４０が蓄積する商品情報のうち、過去の古い情報や重要度の低い情報をパーソナルコンピュータなどに転送して記憶させてもよい。また、ＩＣタグリーダ端末４０が蓄積する商品情報を、所定期間ごとにパーソナルコンピュータなどに転送してバックアップデータとして記憶させてもよい。そのようにすれば、ＩＣタグリーダ端末４０にのみ商品情報を蓄積させる場合と比較して、より多くの商品情報を蓄積させることができる。また、一般にＩＣタグリーダ端末４０の表示部４５は小さいが、より画面の大きいパーソナルコンピュータなどのディスプレイ装置に商品情報の比較結果などを表示させることによって、操作性を向上させることができる。
【００５３】
また、商品情報を転送したパーソナルコンピュータや、ＩＣタグリーダ端末４０などをインターネットに接続できるようにしてもよい。そのようにすれば、他人が取得した商品情報を、インターネットを介して受信することができ、より容易に商品情報の共有化を図ることができる。
【００５４】
また、本実施の形態において、ＩＣタグ２１，２２，２３に商品情報そのものが登録されている場合を説明したが、ＩＣタグ２１，２２，２３は商品を特定するための商品コードのみが登録されているものであってもよい。この場合に、消費者は、取得した商品コードにもとづいて、商品の管理システムなどから商品情報を取得するようにしてもよい。そのようにすれば、店舗の店員などがＩＣタグ２１，２２，２３に登録されている商品情報を頻繁に更新する必要がなくなり、店舗の店員などの負担を軽減することができる。
【００５５】
さらに、本実施の形態では、商品に付されている商品情報記憶手段としてＩＣタグを例にしたが、ＩＣタグと呼ばれているものに限らず、無線によって商品情報を出力できるものであれば、ＲＦＩＤタグなど他の手段を用いてもよい。
【００５６】
【発明の効果】
以上のように、本発明によれば、商品情報比較装置が、商品に取り付けられている商品情報記憶手段から、商品の商品情報を無線データとして受信する商品情報受信手段と、情報記憶手段が記憶する複数の商品情報のうち、購入目的の商品に対応する商品情報を全て抽出する商品情報抽出手段と、抽出した各商品情報を比較し所定の条件に従って並べ替えて比較データを生成する比較データ生成手段と、比較データにもとづいて、各商品情報を比較した結果情報を表示する表示手段とを備えるように構成したので、消費者が商品情報を正確に判断することができ、経済的に買い物をすることができる。
【００５７】
また、本発明によれば、商品情報比較プログラムが、コンピュータに、商品に取り付けられている商品情報記憶手段から、商品の商品情報を無線データとして受信する処理と、購入目的の商品に対応する商品情報を全て抽出する処理と、抽出した各商品情報を比較し所定の条件に従って並べ替えて比較データを生成する処理と、比較データにもとづいて、各商品情報を比較した結果情報を表示する処理とを実行させるので、消費者が商品情報を正確に判断することができ、経済的に買い物をすることができる。
【図面の簡単な説明】
【図１】本発明による商品情報比較装置の利用環境の一例を示す説明図である。
【図２】ＩＣタグリーダ端末４０の構成の一例を示すブロック図である。
【図３】ＩＣタグリーダ端末４０の記憶装置４２が蓄積する情報内容の一例を示す説明図である。
【図４】商品情報を取得する商品情報取得処理、および商品情報を比較する商品情報比較処理の一例を示す流れ図である。
【図５】表示部４５が表示する商品情報の一覧の一例を示す説明図である。
【符号の説明】
１１，１２，１３  商品
２１，２２，２３  ＩＣタグ
４０  ＩＣタグリーダ端末
４１  制御部
４２  記憶装置
４３  通信制御部
４４  アンテナ部
４５  表示部
４６  操作部
【図１】
2005011291.tif 000003
【図２】
2005011291.tif 000004
【図３】
2005011291.tif 000005
【図４】
2005011291.tif 000006
【図５】
2005011291.tif 000007